(57)【要約】  【課題】脱着可能な表示部を備える撮像装置において、ユーザーの望む視野角とは異なる視野角で見えてしまう。【解決手段】ビューファインダーを備えた表示ユニットと、表示ユニットを脱着可能な撮像装置であって、表示ユニットが前記撮像装置に脱着されているかを検出する表示ユニット検出部と、表示ユニットのＩＤを格納した記憶部１と、記憶部１から受け取ったＩＤに関連付けられた、表示ユニットに表示される映像の画角を縮小するための設定値を格納する記憶部２と、記憶部２から受け取った設定値に応じて縮小表示をするモードかを判定する縮小モード判定部と、縮小モード判定部が縮小表示をするモードであると判定した際に記憶部２から受け取った設定値に応じた縮小表示を行う画角縮小部と、を有することを特徴とする。【選択図】図１
2019071514.tif 000002
【特許請求の範囲】
【請求項１】
ビューファインダーを備えた表示ユニットと、
前記表示ユニットを脱着可能な撮像装置であって、
前記表示ユニットが前記撮像装置に脱着されているかを検出する表示ユニット検出部と、
前記表示ユニットを個体毎に識別するためのＩＤを格納した記憶部１と、
前記記憶部１から受け取ったＩＤに関連付けられた、前記表示ユニットに表示される映像の画角を縮小するための設定値を格納する記憶部２と、
前記記憶部２から受け取った設定値に応じて縮小表示をするモードかを判定する縮小モード判定部と、
前記縮小モード判定部が縮小表示をするモードであると判定した際に前記記憶部２から受け取った設定値に応じた縮小表示を行う画角縮小部と、
を有することを特徴とする撮像装置。
【請求項２】
前記ビューファインダーは接眼ユニットを脱着可能な表示部であって、
接眼ユニットが前記表示部に装着されているかを検知する接眼ユニット検出部を有し、
前記接眼ユニット検出部が前記表示部に接眼ユニットが装着されていないと判定した際に、前記画角縮小部が縮小表示を解除することを特徴とする請求項１に記載の撮像装置。
【請求項３】
フォーカス合わせを補助するための拡大表示モードであるかを判定する拡大モード判定部を有し、
前記拡大表示モード判定部が拡大表示モードであると判定した際に、前記画角縮小部が縮小表示を解除することを特徴とする請求項１に記載の撮像装置。
【請求項４】
接眼可能なファインダと、
前記ファインダに物体が近付いた際に距離を検知するための近接検知手段と、
前記ファインダに表示する映像を縮小表示するか否かと、表示する輝度を判定するために用いられる前記ファインダとユーザーとの距離に関する第一の閾値と
前記第一の閾値より大きい第二の閾値と、
前記ファインダに表示する映像を全画角表示する際の第一の画角設定値と、
前記第一の画角設定値より縮小された画角で表示する際の第二の画角設定値と、
前記ファインダに通常輝度で表示するための設定値である第一の輝度設定値と、
前記第一の輝度より高い輝度となる第二の輝度設定値と、
前記第一の閾値、第二の閾値、第一の画角設定値、第二の画角設定値、第一の輝度設定値、第二の輝度設定値を格納する記憶部３と、
ユーザーとの距離と、前記第一の閾値、第二の閾値を比較して前記ファインダに表示する画角及び輝度を判定する画角・輝度判定部と、
前記画角・輝度判定部が判定した画角及び輝度に応じた設定値を前記記憶部３から受け取り、前記ファインダに表示する画角と輝度を設定するファインダ制御部を備え、
前記近接検知手段が検出したユーザーと前記ファインダの距離が、前記第一の閾値より近い場合には、前記ファインダ制御部が前記第一の画角設定値及び第一の輝度設定値で前記ファインダに表示を行い、
前記第一の閾値より離れ、なおかつ前記第二の閾値より近い場合には、前記ファインダ制御部が前記第二の画角設定値及び第二の輝度設定値で前記ファインダに表示を行い、
前記第二の閾値より離れている場合には、前記ファインダ制御部が前記第二の画角設定値及び第一の輝度設定値で前記ファインダに表示することを特徴とする撮像装置。
【請求項５】
前記ファインダが消灯中に前記第二の閾値よりユーザーが近付いた場合には、点灯する直前のユーザーがいる位置を再度検出し、前記第一の閾値より近い場合には、前記ファインダ制御部が前記第一の画角設定値及び第一の輝度設定値で前記ファインダに表示を行い、
前記第一の閾値より離れ、なおかつ前記第二の閾値より近い場合には、前記ファインダ制御部が前記第二の画角設定値及び第二の輝度設定値で前記ファインダに表示を行い、
前記第二の閾値より離れている場合には、前記ファインダ制御部が前記第二の画角設定値及び第一の輝度設定値で前記ファインダに表示することを特徴とする請求項４に記載の撮像装置。
【請求項６】
前記ファインダが点灯中には、前記画角・輝度判定部が判定する際に、ユーザーとの距離を複数回検出し、前記第一の閾値と前記第二の閾値とユーザーの位置の関係が変化していない場合にのみ画角と輝度の判定を変更することを特徴とする請求項４に記載の撮像装置。
【発明の詳細な説明】
【技術分野】
【０００１】
本発明は、撮像装置に関する。
【背景技術】
【０００２】
現在、撮像装置として、被写体を撮影して映像信号を生成するカメラボディと、カメラボディに脱着可能に接続され映像信号に基づいて映像を表示する表示デバイスを備えるものがある。複数の表示デバイスからユーザーの好みに合った表示デバイスを装着することで、より自由度の高い撮影が可能になっている。カメラボディに接続される表示デバイスの中にはパネル、ビューファインダー、接眼ユニット付きパネルなどがある。
【０００３】
接眼ユニット付きパネルとは表示面に映像を表示するパネルユニットと、パネルユニットに脱着可能に装着され、パネルユニットに表示された映像をレンズで縮小・拡大することで、パネルユニットをビューファインダーとして使用することのできる接眼ユニットが設けられたものである。また、表示デバイスを装着できるカメラボディも、シネマ系用途や報道系用途で使われるカメラボディなど用途は様々である。カメラボディの用途によってビューファインダーや接眼ユニット付きパネルで見たい画質は異なってくる。
【０００４】
例えば、シネマ系用途では高解像度で視野角が広く見えることが求められ、報道系用途では目を振ることなく全画角を一目で確認できる視野角が求められている。しかし、ビューファインダーや接眼ユニット付きパネルは設計時にレンズによる拡大率を決めるため、視野角はデバイス毎に決まってしまう。そのため、シネマ系用途として視野角が広く設計されたビューファインダーや接眼ユニット付きパネルが報道系用途のカメラボディに接続された際には、報道系用途のユーザーが望む視野角よりも広く見えてしまう。
【０００５】
特許文献１ではカメラボディを通常撮影と自分撮り撮影で判別し、自分撮り撮影の場合には顔の位置を検出し、レンズフード等のアクセサリでパネルが見えなくなる部分を除いた範囲に映像を表示させる。
【先行技術文献】
【特許文献】
【０００６】
【特許文献１】特開２０１３−２４３５９４号公報
【発明の概要】
【発明が解決しようとする課題】
【０００７】
しかしながら、特許文献１では用途を判別してアクセサリで見えなくなる部分を除くようにパネルの表示画角を変更しているが、ビューファインダーや接眼ユニット付きパネルが用途によって求められる視野角が異なるという課題ついては言及していない。
【０００８】
そこで、本発明の目的は、上述した先行技術文献の課題を解決することであり、脱着可能な視野角の広い用途のビューファインダーや接眼ユニット付きパネルに関して、表示デバイスのＩＤと、表示デバイスを視野角の狭い用途で使う際に最適な視野角にするための画角縮小率を関連付けてメモリに保存する。縮小率に応じて表示画角を変更することで、視野角の狭い用途として最適な視野角を実現する手法を提示するものである。
【課題を解決するための手段】
【０００９】
ビューファインダーを備えた表示ユニットと、前記表示ユニットを脱着可能な撮像装置であって、前記表示ユニットが前記撮像装置に脱着されているかを検出する表示ユニット検出部と、前記表示ユニットを個体毎に識別するためのＩＤを格納した記憶部１と、前記記憶部１から受け取ったＩＤに関連付けられた、前記表示ユニットに表示される映像の画角を縮小するための設定値を格納する記憶部２と、前記記憶部２から受け取った設定値に応じて縮小表示をするモードかを判定する縮小モード判定部と、前記縮小モード判定部が縮小表示をするモードであると判定した際に前記記憶部２から受け取った設定値に応じた縮小表示を行う画角縮小部と、を有することを特徴とする撮像装置。
【発明の効果】
【００１０】
本発明によれば、表示デバイスが脱着可能な撮像装置において、表示デバイスのＩＤと関連付けた縮小率で表示画角を縮小することで、視野角の広い用途として設計されたビューファインダーまたは接眼ユニット付きパネルを、視野角の狭い用途として最適な視野角で使用出来る。
【図面の簡単な説明】
【００１１】
【図１】第１の実施例における撮像装置の構成を示すブロック図である。
【図２】第１の実施例におけるＩＤ検出による縮小表示のフローチャートである。
【図３】用途に合わせた視野角最適化のための縮小表示に関するイメージ図ある。
【図４】第２の実施例における撮像装置の構成を示すブロック図である
【図５】表示部におけるＥＶＦと接眼センサの位置関係を示すイメージ図である。
【図６】第２の実施例における画角縮小・輝度調節のフローチャートである。
【図７】脱着可能な表示デバイスに関するイメージ図ある。
【図８】接眼ユニット付きパネルに関するイメージ図である。
【発明を実施するための形態】
【００１２】
以下に、本発明の好ましい実施の形態を、添付の図面に基づいて詳細に説明する。以下、図１〜図２を参照して、本発明の各実施例の動作を説明する。
【００１３】
＜第１の実施形態＞
第１の実施例は、表示デバイスを脱着可能な撮像装置において、表示デバイスのＩＤを検知してユーザーの用途に合わせた視野角となるよう映像を縮小表示することを特徴とする。
【００１４】
以下、本発明の第１の実施例による撮像装置の構成について説明する。図１は請求項１の発明の実施の形態における撮像装置の構成を示すブロック図である。
【００１５】
本体部１００は撮像部１０１、デジタル信号処理部１０２、画角調整部１０３、操作部１０４、システム制御部１０５、電源スイッチ１０６、メモリＡ１０７、画角縮小モード判定部１０８、拡大フォーカスモード判定部１０９、脱着検出部１１０などから構成され、撮像した映像を表示部１１２に表示する。また、脱着可能表示デバイスのＩＤを読み出し、メモリＡ１０７に格納された設定値またはデフォルト値を用いて映像信号に対して縮小表示処理を行う。デフォルト値は縮小表示しない全画面表示の設定値である。撮像部１０１は光学像を電気信号に変換するＣＣＤやＣＭＯＳ素子等で構成される撮像素子である。
【００１６】
デジタル信号処理部１０２は撮像部１０１からのデジタルデータに対して所定の画素補間、縮小といったリサイズ処理や色変換処理を行う。また、デジタル信号処理部１０２では、撮像した画像データを用いて所定の演算処理が行われ、得られた演算結果に基づいてシステム制御部１０５が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画角調整部１０３はシステム制御部１０５から表示画角の縮小率に関する設定値を受け取り、表示部１１２に表示する映像信号に対して設定値に応じた縮小表示を行う。
【００１７】
操作部１０４の各操作部材は、機能ボタンとしては、例えばメニューボタン、上下左右の４方向ボタンやＳＥＴボタン等がある。メニューボタンが押されると各種の設定可能なメニュー画面が表示部１１２に表示される。ユーザーは、表示部１１２に表示されたメニュー画面と、上下左右の４方向ボタンで選択し、ＳＥＴボタンを用いて決定できる。尚、操作部１０４は、タッチパネルであってもよい。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００１８】
メモリＡ１０７は例えばフラッシュメモリであり、表示デバイスのＩＤと、シネマ系用途として設計されたビューファインダーまたは接眼ユニット付きパネルを、報道系用途として最適な視野角にするための縮小率に関する設定値を関連付けて格納している。また、縮小表示しない全画面表示の設定値であるデフォルト値も格納している。
【００１９】
画角縮小モード判定部１０８はユーザーが画角縮小表示モードをＯＮにしているかを判定し、システム制御部１０５に情報を送る。画角縮小モードは、シネマ系用途として設計されたビューファインダーまたは接眼ユニット付きパネルを報道系用途に最適な視野角に縮小表示するためのモードである。画角縮小モードのＯＮとＯＦＦの切り換え方法は例えばメニューで切り替えることが出来る。
【００２０】
拡大フォーカスモード判定部１０９はユーザーが拡大フォーカスモード表示をＯＮにしているかを判定し、システム制御部１０５に情報を送る。拡大フォーカスモードはＯＮになると、ユーザーがフォーカスを合わせやすくするために表示部１１２に表示される映像の一部分を拡大して表示デバイスに全画面表示する。拡大フォーカスモードのＯＮとＯＦＦの切り換え方法は例えばメニューで切り替えることが出来る。脱着検出部１１０は、本体部に脱着可能表示部が接続されたことを検知し、システム制御部１０５に情報を送る。検知手段は、例えばメカスイッチである。
【００２１】
システム制御部１０５は脱着可能表示部１１１が接続されていることを検知し、メモリＢ１１３からＩＤを読み出し、シネマ用途のビューファインダーまたは接眼ユニット付きパネルであれば、ＩＤに関連付けられている表示画角の縮小率に関する設定値を読み出す。また、接続されたデバイスが接眼ユニット付きパネルの場合には、接眼ユニット検出部１１４から情報を受け取る。
【００２２】
さらに画角縮小モード判定部１０８と拡大フォーカスモード１０９から情報を受け取る。眼ユニットが装着されており、画角縮小モードがＯＮ、拡大フォーカスモードがＯＦＦなら表示画角の縮小率を画角調整部１０３に送る。そうでない場合には縮小表示しないデフォルト値を画角調整部１０３に送る。電源スイッチ１０６は電源がＯＮされているかを検知し、システム制御部１０５に送る。検出手段は、例えばメカスイッチである。
【００２３】
脱着可能表示部１１１は表示部１１２、メモリＢ１１３，接眼ユニット検出部１１４、バックライト１１５、バックライトドライバ１１６などから構成され、本体部と脱着可能であり、本体部１００からの映像信号を表示する、例えば接眼ユニット付きパネルユニットであり個別にＩＤを保持している。表示部１１２は再生映像や撮像映像を表示可能な表示手段であり、例えば液晶ディスプレイである。メモリＢ１１３は例えばフラッシュメモリであり、ユニット毎に個別のＩＤを格納している。
【００２４】
接眼ユニット検出部１１４はユーザーが表示部１１２に接眼ユニットを装着しているかを検出する。例えば、メカスイッチである。バックライト１１５は、表示部１１２の背面に備えられており、バックライトドライバ１１６によって輝度の制御を行うことができる。バックライトドライバ１１６は、システム制御部１０５から送られたバックライト調整値に応じて、バックライト１１５の輝度制御を行う。
【００２５】
次に、本発明の第１の実施例における、表示デバイスを脱着可能な撮像装置において、表示デバイスのＩＤを検知してユーザーの用途に合わせた視野角となるよう映像を縮小表示する方法について説明する。
【００２６】
図２は請求項１の発明の実施例における、脱着可能な表示デバイスを検知して用途に合わせた視野角となるよう映像を縮小表示する方法を示すフローチャートである。ステップＳ２０１は電源スイッチ１０６がシステムの電源がＯＮされているかを判定し、システム制御部１０５に送る。ＯＮされている場合には、ステップＳ２０２に進み、ＯＮされていない場合には処理を終了する。
【００２７】
ステップＳ２０２はシステム制御部１０５が脱着検出部１１０から脱着に関する情報を受け取り、脱着可能表示部１１１が接続されているかを判定する。接続されている場合にはステップＳ２０３に進み、接続されていない場合には、ステップＳ２０２に進む。ステップＳ２０３はシステム制御部１０５が、メモリＢ１１３から表示デバイスのＩＤ情報を受け取る。
【００２８】
ステップＳ２０４はシステム制御部１０５が接続された表示デバイスのＩＤをメモリＡ１０７の中に格納されているＩＤと比較し、接続された表示デバイスがシネマ系用途として設計されたビューファインダーまたは接眼ユニット付きパネルであるかを判定する。どちらでもない表示デバイス、例えばパネルユニットの場合にはステップＳ２０５に進み、シネマ系用途として設計された接眼ユニット付きパネルの場合にはステップＳ２０６に進み、シネマ系用途として設計されたビューファインダーの場合にはステップＳ２０７に進む。
【００２９】
ステップＳ２０５は画角調整部１０３がシステム制御部１０５から縮小表示に関するデフォルト設定値を受け取り、図３のＡのように全画面に表示されるよう表示部１１２に対して映像信号を出力する。ステップＳ２０６はシステム制御部１０５が接眼ユニット検出部１１４から接眼ユニットが装着されているかの情報を受け取る。装着されていない場合にはパネルユニットとして使用されるためステップＳ２０５に進み、装着されている場合にはビューファインダーとして使用されるためステップＳ２０７に進む。
【００３０】
ステップＳ２０７は画角縮小モード判定部１０８が、ユーザーが画角縮小モードをＯＮにしているか判定を行い、システム制御部１０５に送る。画角縮小モードがＯＦＦの場合にはステップＳ２０５に進み、ＯＮの場合にはステップＳ２０８に進む。
【００３１】
ステップＳ２０８は拡大フォーカスモード判定部１０８が、ユーザーが拡大フォーカスモードをＯＮにしているか判定を行い、システム制御部１０５に送る。拡大フォーカスモードがＯＮの場合にはより大きく拡大して見せるためにステップＳ２０５に進み全画面に表示させ、ＯＦＦの場合にはステップＳ２０９に進む。
【００３２】
ステップＳ２０９はシステム制御部１０５がメモリＡ１０７からＩＤと関連付いた表示画角の縮小率の設定値を受け取り、画角調整部１０３に送る。送られた表示画角の縮小率の設定値に応じて画角調整部１０３が表示部１１２に表示する映像を例えば図３のＢのように報道系用途に最適な視野角となるよう縮小して表示する。
【００３３】
このように第１の実施例における表示デバイスを脱着可能な撮像装置において、表示デバイスのＩＤと関連した縮小率で表示画角を縮小することで、シネマ系用途のビューファインダーまたは接眼ユニット付きパネルを報道系用途として最適な視野角で使用出来る。
【００３４】
実施例１は表示部１１２に液晶ディスプレイを用いて説明したがプラズマディスプレイ、有機ＥＬディスプレイでもよい。また、実施例１の画角の縮小率はシネマ系用途から報道系用途に視野角を変更する設定値だったが、縮小率を接続された視野角の広いデバイスをユーザー好みの視野角となるよう選択でき、それぞれの縮小率をメモリＡ１０７に格納していてもよい。
【００３５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００３６】
＜第２の実施形態＞
第２の実施例は、接眼センサを備えたＥＶＦを搭載した撮像装置において、ユーザーがＥＶＦを覗いている位置を検知して、ユーザーの用途に合わせた表示画角と輝度に調節することを特徴とする。第２の実施例の撮像装置の構成は、前記第１の実施例とほぼ同一であるので、同一の構成要素については同一の符号を用いることでその説明を省略する。
【００３７】
図４は第２の実施例における撮像装置の構成を示すブロック図であり、第１の実施例において、画角縮小・輝度モード判定部４０１、タイマー４０２、表示部４０３、ＥＶＦ４０４、接眼センサ部４０５を追加し、ユーザーのＥＶＦを覗く位置に応じて用途に合った最適な表示画角と輝度で表示することを可能にしたものである。
【００３８】
メモリＡ１０７は例えばフラッシュメモリであり、ユーザーが少し離れて覗いた際に画角が蹴られないような視野角にするための縮小率、縮小表示しない全画面表示の設定値に加えて通常輝度、高輝度の設定値を格納している。また、ユーザーの位置に応じて縮小率と輝度を切り換えるための判定に用いる閾値を複数格納している。例えば２ｃｍと５ｃｍである。
【００３９】
画角縮小・輝度モード判定部４０１はシステム制御部１０５からユーザーの位置情報、タイマー４０２の計測時間、ＥＶＦ４０４が点灯しているか、メモリＡ１０７から閾値を受け取り、画角縮小モードか否かと、設定する輝度モードが通常輝度か、高輝度かを判定する。また、消灯中の点灯シーケンス中にはタイマー４０２の計測時間を用いずに判定を行う。
【００４０】
システム制御部１０５は接眼センサ部４０５からユーザーが現在ＥＶＦ４０４を覗いている位置の情報を受け取り、タイマー４０２でユーザーが同じ位置に一定時間以上いる時間を計測して計測した時間を受け取る。ユーザーの位置情報、タイマー４０２の計測時間、ＥＶＦ４０４が現在点灯しているかの情報を画角縮小・輝度モード判定部４０１に送り、画角縮小・輝度モード判定部４０１から画角縮小モードか否かの情報、輝度モードの情報を受け取る。
【００４１】
受け取った情報に応じてメモリＡ１０７から画角縮小表示の設定値または全画角表示の設定値を受け取り画角縮小部１０３に、通常輝度または高輝度の設定値を受け取りバックライトドライバ１１６に送る。また、ユーザーがＥＶＦ４０４から離れている時間、接眼無検知時間が一定時間、例えば３０秒以上経過した場合にはＥＶＦ４０４の消灯制御を行い、消灯している際に接眼検知をした場合には点灯制御を行う。さらに、接眼センサ部４０５からのユーザーの位置情報から、ユーザーのＥＶＦ４０４を覗いている位置と閾値との関係が変化した場合にはタイマー４０２をリセットする。
【００４２】
タイマー４０２はユーザーが同じ位置にいる時間を計測する。計測した時間をシステム制御部１０５に送る。ユーザーの位置と閾値の関係が変化した際には、システム制御部１０５からリセットされる。表示部４０３はＥＶＦ４０４、接眼センサ部４０５、バックライト１１５、バックライトドライバ１１６などから構成され、本体部１００からの映像信号を表示する。ＥＶＦ４０４は再生映像や撮像映像を表示可能な表示手段であり、例えば有機ＥＬパネルや液晶パネルである。
【００４３】
接眼センサ部４０５は、物体が近付いたことを検知するセンサである。接眼センサ部４０５は、赤外発光素子と受光素子で構成される。赤外発光素子は、赤外発光レンズ窓より所定の光量の赤外光を照射する。赤外発光レンズ窓より照射された赤外光が被検出物体で反射し、その反射分散した赤外光を受光レンズ窓で集光し、受光素子で光電変換を行う。受光素子で光電変換された電圧値に対応した被検出物体との距離を算出してシステム制御部１０５に送る。接眼センサ部４０５は、ＥＶＦ４０４を覗いている時のユーザーの位置を検出し、画角の縮小制御と輝度制御を行うために設けられたものであり、図５に示すように、ＥＶＦ４０４の近傍に設置した構成とするのが望ましい。
【００４４】
次に、本発明の第２の実施例における、接眼センサを備えたＥＶＦを搭載した撮像装置において、ユーザーがＥＶＦを覗いている位置を検知して用途に合わせた表示画角と輝度に調節する方法について説明する。
【００４５】
図６は請求項４の発明の実施例における、ユーザーの位置に応じてユーザーの用途に合わせた表示画角と輝度に調節する方法を示すフローチャートである。ステップＳ６０１は電源スイッチ１０６がシステムの電源がＯＮされているかを判定し、システム制御部１０５に送る。ＯＮされている場合には、ステップＳ６０２に進み、ＯＮされていない場合には処理を終了する。ステップＳ６０２は接眼センサ部４０５がユーザーの位置に関する情報を取得し、システム制御部１０５に送りステップＳ６０３に進む。
【００４６】
ステップＳ６０３は現在ＥＶＦ４０４が点灯しているかをシステム制御部１０５が判定し、画角縮小・輝度モード判定部４０１に送る。点灯している場合にはステップＳ６１３に進み、消灯している場合にはステップＳ６０４に進む。ステップＳ６０４はシステム制御部１０５がＥＶＦ４０４を点灯させるためのシーケンス中かを判定する。点灯シーケンス中の場合にはステップＳ６０７に進み、点灯シーケンス中ではない場合にはステップＳ６０５に進む。
【００４７】
ステップＳ６０５はシステム制御部１０５がメモリＡから５ｃｍの閾値を受け取り、接眼センサ部４０５から受け取ったユーザーの位置情報が閾値５ｃｍ以内か判定する。ユーザーの位置情報が５ｃｍ以内の場合には、ステップＳ６０６に進み、５ｃｍより離れている場合には、ステップＳ６０２に進む。ステップＳ６０６はシステム制御部１０５がＥＶＦ４０４の点灯シーケンスを開始して、ステップＳ６０２に進む。ステップＳ６０７はシステム制御部１０５が、現在ＥＶＦ４０４の点灯シーケンスの最後の段階か否かを判定する。点灯シーケンスの最後の場合にはステップＳ６０９に進み、点灯シーケンスの最後ではない場合にはステップＳ６０８に進む。ステップＳ６０８はシステム制御部１０５がＥＶＦ４０４の点灯シーケンスを継続して行い、ステップＳ６０２に進む。
【００４８】
ステップＳ６０９は画角縮小・輝度モード判定部４０１がメモリＡ１０７から２ｃｍと５ｃｍの閾値、システム制御部１０５からユーザーの位置情報を受け取り、点灯する際の画角縮小及び輝度のモードを判定する。ユーザーの位置が５ｃｍより離れている場合にはステップＳ６１０に進み、２ｃｍ以内の場合はステップＳ６１１に進み、２〜５ｃｍの間の場合にはステップＳ６１２に進む。
【００４９】
ステップＳ６１０は画角縮小・輝度モード判定部４０１が画角縮小モード、通常輝度モードであるという情報をシステム制御部１０５に送り、システム制御部１０５はメモリＡから縮小表示する際の設定値、通常輝度の設定値を受け取る。画角調整部１０３がシステム制御部１０５から縮小表示する際の設定値を受け取り、画角縮小表示を行う。バックライトドライバ１１６がシステム制御部１０５から通常輝度の設定値を受け取り、通常輝度で表示を行う。システム制御部１０５がＥＶＦ４０４の点灯シーケンスを完了して、ステップＳ６０２に進む。また、縮小表示かつ通常輝度の状態でＥＶＦ４０４を点灯させることで離れた位置からＥＶＦ４０４を覗いてカメラ本体の起動確認を行うことができる。
【００５０】
ステップＳ６１１は画角縮小・輝度モード判定部４０１が全画角モード、通常輝度モードであるという情報をシステム制御部１０５に送り、システム制御部１０５はメモリＡ１０７から全画角表示する際の設定値、通常輝度の設定値を受け取る。画角調整部１０３がシステム制御部１０５から全画角表示する際の設定値を受け取り、全画角表示を行う。バックライトドライバ１１６がシステム制御部１０５から通常輝度の設定値を受け取り、通常輝度で表示を行う。システム制御部１０５がＥＶＦ４０４の点灯シーケンスを完了して、ステップＳ６０２に進む。
【００５１】
また、全画角表示かつ通常輝度の状態でＥＶＦ４０４を点灯させることでユーザーがＥＶＦ４０４に接眼した位置から覗く際に最大の視野角、解像度、遮光されるため通常輝度で最適に視認することが出来る。
【００５２】
ステップＳ６１２は画角縮小・輝度モード判定部４０１が画角縮小モード、高輝度モードであるという情報をシステム制御部１０５に送り、システム制御部１０５はメモリＡから縮小表示する際の設定値、高輝度の設定値を受け取る。画角調整部１０３がシステム制御部１０５から縮小表示する際の設定値を受け取り、画角縮小表示を行う。バックライトドライバ１１６がシステム制御部１０５から高輝度の設定値を受け取り、高輝度で表示を行う。システム制御部１０５がＥＶＦ４０４の点灯シーケンスを完了して、ステップＳ６０２に進む。
【００５３】
また、縮小表示かつ高輝度の状態でＥＶＦ４０４を点灯させることでユーザーが少し離れた位置からＥＶＦ４０４を覗いても画角が蹴られず、遮光されない分外光の影響があっても高輝度のため、ユーザーが視認しやすくなる。
【００５４】
ステップＳ６１３はシステム制御部１０５がメモリＡ１０７から２ｃｍと５ｃｍの閾値を受け取り、接眼センサ部４０５から受け取ったユーザーの位置と閾値の関係性が、前回から変化したかを判定する。前回が２ｃｍ以内であれば、２ｃｍ以内から変化したか、前回が２〜５ｃｍの間であれば、２〜５ｃｍの間から変化したか、前回が５ｃｍより離れていた場合には、５ｃｍより離れた位置から変化したかを判定する。前回から関係性が変化した場合には、ステップＳ６１４に進み、前回から関係性変化していない場合には、ステップＳ６１５に進む。
【００５５】
ステップＳ６１４はシステム制御部１０５がタイマー４０２に対して計測時間のリセットを行い、ステップＳ６０２に進む。ステップＳ６１５はタイマー４０２が、ユーザーが閾値に対して同じ関係性の位置にいる時間を計測して、ステップＳ６１６に進む。ステップＳ６１６は画角縮小・輝度モード判定部４０１がシステム制御部１０５からユーザーの位置情報と、メモリＡ１０７から２ｃｍと５ｃｍの閾値を受け取り、判定を行う。ユーザーの位置が２ｃｍ以内の場合はステップＳ６１７に進み、５ｃｍより離れている場合にはステップＳ６１９に進み、２〜５ｃｍの間の場合にはステップＳ６２２に進む。
【００５６】
ステップＳ６１７は画角縮小・輝度モード判定部４０１がタイマー４０２の計測時間をシステム制御部１０５から受け取り、１秒以上か判定を行う。１秒以上の場合にはステップＳ６１８に進み、１秒以内の場合にはステップＳ６０２に進む。
【００５７】
ステップＳ６１８は画角縮小・輝度モード判定部４０１が全画角モード、通常輝度モードであるという情報をシステム制御部１０５に送り、システム制御部１０５がメモリＡ１０７から全画角表示する際の設定値、通常輝度の設定値を受け取る。画角調整部１０３がシステム制御部１０５から全画角表示する際の設定値を受け取り、全画角表示を行う。バックライトドライバ１１６がシステム制御部１０５から通常輝度の設定値を受け取り、通常輝度で表示を行い、ステップＳ６０２に進む。
【００５８】
また、全画角表示かつ通常輝度の状態でＥＶＦ４０４を点灯させることでユーザーがＥＶＦ４０４に接眼した位置から覗く際に最大の視野角、解像度、遮光されるため通常輝度で最適に視認することが出来る。視認することが出来る。
【００５９】
ステップＳ６１９は画角縮小・輝度モード判定部４０１がタイマー４０２の計測時間をシステム制御部１０５から受け取り、判定を行う。３０秒以上の場合にはステップＳ６２０に進み、１秒〜３０秒未満の場合にはステップＳ６２１に進み、１秒以内の場合にはステップＳ６０２に進む。ステップＳ６２０はシステム制御部１０５がＥＶＦ４０４の消灯制御を行い、ステップＳ６０２に進む。
【００６０】
ステップＳ６２１は画角縮小・輝度モード判定部４０１が画角縮小モード、通常輝度モードであるという情報をシステム制御部１０５に送り、システム制御部１０５がメモリＡ１０７から縮小表示する際の設定値、通常輝度の設定値を受け取る。画角調整部１０３がシステム制御部１０５から縮小表示する際の設定値を受け取り、画角縮小表示を行う。バックライトドライバ１１６がシステム制御部１０５から通常輝度の設定値を受け取り、通常輝度で表示を行い、ステップＳ６０２に進む。また、縮小表示かつ通常輝度の状態でＥＶＦ４０４を点灯させることで離れた位置からＥＶＦ４０４を覗いてカメラ本体の起動確認を行うことができる。
【００６１】
ステップＳ６２２は画角縮小・輝度モード判定部４０１がタイマー４０２の計測時間をシステム制御部１０５から受け取り、１秒以上か判定を行う。１秒以上の場合にはステップＳ６２３に進み、１秒以内の場合にはステップＳ６０２に進む。
【００６２】
ステップＳ６２３は画角縮小・輝度モード判定部４０１が画角縮小モード、高輝度モードであるという情報をシステム制御部１０５に送り、システム制御部１０５がメモリＡ１０７から縮小表示する際の設定値、高輝度の設定値を受け取る。画角調整部１０３がシステム制御部１０５から縮小表示する際の設定値を受け取り、画角縮小表示を行う。バックライトドライバ１１６がシステム制御部１０５から高輝度の設定値を受け取り、高輝度で表示を行い、ステップＳ６０２に進む。また、縮小表示かつ高輝度の状態でＥＶＦ４０４を点灯させることでユーザーが少し離れた位置からＥＶＦ４０４を覗いても画角が蹴られず、遮光されない分外光の影響があっても高輝度のため、ユーザーが視認しやすくなる。
【００６３】
このように第２の実施例における接眼センサを備えたＥＶＦを搭載した撮像装置において、ユーザーがＥＶＦを覗いている位置を検知して、映像の表示画角と輝度を調節することで、ユーザーの用途に応じた最適な画角と輝度で視認することが出来る。
【００６４】
実施例２は表示部１１２に液晶ディスプレイを用いて説明したがプラズマディスプレイ、有機ＥＬディスプレイでもよい。また、制御を切り換える閾値は２ｃｍと５ｃｍを用いて説明したが別の閾値をメモリＡ１０７に格納して使用してもよい。
【００６５】
さらに、実施例２の画角を縮小する際の設定値はユーザーが好きな縮小率を選択でき、それぞれの縮小率をメモリＡ１０７に格納していてもよい。
【００６６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６７】
１００‥‥本体部
１０１‥‥撮像部
１０２‥‥デジタル信号処理部
１０３‥‥画質調整部
１０４‥‥操作部
１０５‥‥システム制御部
１０６‥‥電源スイッチ
１０７‥‥メモリＡ
１０８‥‥画角縮小モード判定部
１０９‥‥拡大フォーカスモード判定部
１１０‥‥脱着検出部
１１１‥‥脱着可能表示部
１１２‥‥表示部
１１３‥‥メモリＢ
１１４‥‥接眼ユニット検出部
１１５‥‥バックライト
１１６‥‥バックライトドライバ
４０１‥‥画角縮小・輝度モード判定部
４０２‥‥タイマー
４０３‥‥表示部
４０４‥‥ＥＶＦ
４０５‥‥接眼センサ部
【図１】
2019071514.tif 000003
【図２】
2019071514.tif 000004
【図３】
2019071514.tif 000005
【図４】
2019071514.tif 000006
【図５】
2019071514.tif 000007
【図６】
2019071514.tif 000008
【図７】
2019071514.tif 000009
【図８】
2019071514.tif 000010